(57)【要約】【課題】情報表示装置が持つ表示領域を２つの表示デバイスで分割してしまうと、ユーザは、情報表示装置のサイズの割に表示領域が小さいという不満を持つ恐れがある。そのため、特性の異なる表示デバイスを備えつつ、大きな表示領域を確保する情報表示装置が、望まれる。【解決手段】情報表示装置は、第１の表示領域を形成する第１の表示デバイスと、第２の表示領域を形成する第２の表示デバイスと、第２の表示デバイスを移動する表示デバイス転移部と、表示デバイス転移部に対して、第２の表示デバイスの移動を指示することで第２の表示領域の大きさを決定する制御部と、を備える。【選択図】図１
2014002273.tif 000002
【特許請求の範囲】
【請求項１】
第１の表示領域を形成する第１の表示デバイスと、
第２の表示領域を形成する第２の表示デバイスと、
前記第２の表示デバイスを移動する表示デバイス転移部と、
前記表示デバイス転移部に対して、前記第２の表示デバイスの移動を指示することで前記第２の表示領域の大きさを決定する制御部と、
を備える情報表示装置。
【請求項２】
前記第１及び第２の表示デバイスが、それぞれ同じ表示を行ったと仮定した場合において、前記第２の表示デバイスの動作に必要な電力は、前記第１の表示デバイスの動作に必要な電力よりも低い請求項１の情報表示装置。
【請求項３】
前記第１の表示領域と相対する方向から視認した場合に、前記第１の表示デバイスと前記第２の表示デバイスとが、重なって配置されている請求項１又は２の情報表示装置。
【請求項４】
前記表示デバイス転移部は、
前記第２の表示デバイスを含むと共に、両端が接続されている無端形状の表示デバイスキャリアと、
前記表示デバイスキャリアを回転するローラーと、
を備える請求項１乃至３のいずれか一に記載の情報表示装置。
【請求項５】
前記表示デバイスキャリアは、
前記第２の表示デバイスの両端に、透明部材をそれぞれ接続し、前記透明部材の両端をそれぞれ接続することで無端形状を形成する請求項４の情報表示装置。
【請求項６】
前記表示デバイスキャリアは、
前記第２の表示デバイスの一端に接続された第１の補強部材と、
前記第２の表示デバイスに前記第１の補強部材が接続された一端と相対する他の一端に接続された第２の補強部材と、を含み、
前記第１及び第２の補強部材の両端を接続することで、無端形状を形成する請求項４の情報表示装置。
【請求項７】
前記制御部は、前記情報表示装置の内部状態、外部環境又は表示対象となるコンテンツの少なくともいずれかに応じて、前記第２の表示領域の大きさを決定する請求項１乃至６のいずれか一に記載の情報表示装置。
【請求項８】
前記第１又は第２の表示デバイスに電力を供給する電池を備え、
前記制御部は、前記電池の残量に応じて、前記第２の表示領域の大きさを決定する請求項１乃至７のいずれか一に記載の情報表示装置。
【請求項９】
外部環境の照度を検出する照度センサを備え、
前記制御部は、前記照度センサが検出する照度に応じて、前記第２の表示領域の大きさを決定する請求項１乃至８のいずれか一に記載の情報表示装置。
【請求項１０】
前記制御部は、前記コンテンツに対応して起動するアプリケーションに応じて、前記第２の表示領域の大きさを決定する請求項７乃至９のいずれか一に記載の情報表示装置。
【請求項１１】
前記制御部は、前記コンテンツに含まれる動画を、前記第１の表示領域を用いて表示する請求項７乃至１０のいずれか一に記載の情報表示装置。
【請求項１２】
前記第１の表示デバイスは、液晶デバイスであり、前記第２の表示デバイスは、電子ペーパである請求項１乃至１１のいずれか一に記載の情報表示装置。
【請求項１３】
第１の表示デバイスと、
前記第１の表示デバイスより書き換え速度が遅い第２の表示デバイスと、
を備える情報表示装置であって、
前記情報表示装置において起動されているアプリケーションを検出する検出手段と、
前記検出手段によって検出されたアプリケーションに応じて前記第１の表示デバイスと前記第２の表示デバイスとを切り替える切り替え手段と、
を備えることを特徴とする情報表示装置。
【請求項１４】
第１の表示領域を形成する第１の表示デバイスと、
第２の表示領域を形成する第２の表示デバイスと、
前記第２の表示デバイスを移動する表示デバイス転移部と、
を備える情報表示装置の制御方法であって、
前記情報表示装置の内部状態、外部環境又は表示対象となるコンテンツの少なくともいずれかに応じて、前記第２の表示領域の大きさを決定する工程と、
前記決定された前記第２の表示領域の大きさに基づき、前記表示デバイス転移部に対して、前記第２の表示デバイスの移動を指示する工程と、
を含む情報表示装置の制御方法。
【請求項１５】
電池の残量に応じて、前記第２の表示領域の大きさを決定する工程を含む請求項１４の情報表示装置の制御方法。
【請求項１６】
外部環境の照度に応じて、前記第２の表示領域の大きさを決定する工程を含む請求項１４又は１５の情報表示装置の制御方法。
【請求項１７】
前記コンテンツに対応して起動するアプリケーションに応じて、前記第２の表示領域の大きさを決定する工程を含む請求項１４乃至１６のいずれか一に記載の情報表示装置の制御方法。
【請求項１８】
第１の表示領域を形成する第１の表示デバイスと、
第２の表示領域を形成する第２の表示デバイスと、
前記第２の表示デバイスを移動する表示デバイス転移部と、
を備える情報表示装置を制御するコンピュータに実行させるプログラムであって、
前記情報表示装置の内部状態、外部環境又は表示対象となるコンテンツの少なくともいずれかに応じて、前記第２の表示領域の大きさを決定する処理と、
前記決定された前記第２の表示領域の大きさに基づき、前記表示デバイス転移部に対して、前記第２の表示デバイスの移動を指示する処理と、
を実行するプログラム。
【請求項１９】
電池の残量に応じて、前記第２の表示領域の大きさを決定する処理を実行する請求項１８のプログラム。
【請求項２０】
外部環境の照度に応じて、前記第２の表示領域の大きさを決定する処理を実行する請求項１８又は１９のプログラム。
【請求項２１】
前記コンテンツに対応して起動するアプリケーションに応じて、前記第２の表示領域の大きさを決定する処理を実行する請求項１８乃至２０のいずれか一に記載のプログラム。
【発明の詳細な説明】
【技術分野】
【０００１】
本発明は、情報表示装置、その制御方法及びプログラムに関する。特に、異なる表示デバイスを備える情報表示装置、その制御方法及びプログラムに関する。
【背景技術】
【０００２】
近年、静止画像や動画を含む多種多様な情報が、情報表示装置により提供される。このような情報表示装置には、携帯電話、スマートフォン、ノートＰＣ（Ｐｅｒｓｏｎａｌ  Ｃｏｍｐｕｔｅｒ）等の情報処理装置だけでなく、電子看板（デジタルサイネージ）といった広告媒体に至るまで、多くの機器が含まれる。
【０００３】
情報表示装置は、液晶デバイスを表示デバイスとして用いることが多い。液晶デバイスは、表示の書き換え速度が速く、テキスト情報や静止画像だけではなく、動画の再生にも好適だからである。特に、ネットワーク技術や情報処理技術の発展に伴い、動画を用いたコンテンツや広告が増加しており、情報表示装置にとって動画再生機能は必須のものになりつつある。しかし、液晶デバイスは消費電力が大きく、長時間の使用には不向きであるという問題がある。そのため、情報表示装置の使用状況に応じて、バックライトを消灯するといった低消費電力化のための制御が不可欠となる。
【０００４】
一方、情報表示装置には、電子ペーパを表示デバイスとして使用するものがある。電子ペーパは、光の透過又は反射の２つの状態を維持するのに電力を要しないコレステリック液晶等を含んで構成されている表示デバイスである。電子ペーパには、表示を保持するのに殆ど電力を必要としないという利点があるものの、表示の書き換えに要する時間が長いという欠点もある。例えば、表示の書き換えに１秒程度要する電子ペーパも存在する。そのため、電子ペーパを表示デバイスとして使用する情報表示装置は、テキスト情報や静止画像を主たる表示対象とし、動画の再生に対する配慮がないことが多い。
【０００５】
ここで、特許文献１において、表示の書き換え速度に関する特性が異なる２つの表示デバイス（表示体）を備える情報表示装置が開示されている。特許文献１が開示する情報表示装置は、表示の更新指示が連続して入力された場合、書き換え速度の速い表示デバイスを使用する。即ち、特許文献１では、表示の書き換えが遅いという特定の表示デバイスの短所を、他の表示デバイスを用いることで克服している。
【先行技術文献】
【特許文献】
【０００６】
【特許文献１】特開２００９−１２８６３０号公報
【発明の概要】
【発明が解決しようとする課題】
【０００７】
なお、上記先行技術文献の開示を、本書に引用をもって繰り込むものとする。以下の分析は、本発明者らによってなされたものである。
【０００８】
特許文献１が開示する情報表示装置は、特性の異なる２つの表示デバイスを備える。この情報表示装置は、ユーザの操作を受け付けた際に、表示の書き換えが遅い表示デバイスでは対応できない表示内容を、表示の書き換えが速い表示デバイスに表示させている。特許文献１では、これらの表示デバイスをそれぞれ重ならないように配置し、２つの表示領域を持つ情報表示装置を開示している。より具体的には、情報表示装置の表面のうち、表示領域として使用可能な領域を分割することで、２つの表示領域を確保している。さらに、２つの表示領域をそれぞれ、メイン領域、サブ領域と位置づけ、テキスト情報等はメイン領域に表示し、動画等の表示の書き換えが短時間で行われる必要があるコンテンツはサブ領域に表示している。
【０００９】
しかし、このような表示領域の分割を行うと、ユーザは、情報表示装置のサイズの割に表示領域が小さいという不満を持つ恐れがある。ユーザは、文字を読む場合であっても、動画を視聴する場合であっても、より大きな表示を望むのが常だからである。そのため、特性の異なる表示デバイスを備えつつ、大きな表示領域を確保する情報表示装置、その制御方法及びプログラムが、望まれる。
【課題を解決するための手段】
【００１０】
本発明の第１の視点によれば、第１の表示領域を形成する第１の表示デバイスと、第２の表示領域を形成する第２の表示デバイスと、前記第２の表示デバイスを移動する表示デバイス転移部と、前記表示デバイス転移部に対して、前記第２の表示デバイスの移動を指示することで前記第２の表示領域の大きさを決定する制御部と、を備える情報表示装置が提供される。
【００１１】
本発明の第２の視点によれば、第１の表示デバイスと、前記第１の表示デバイスより書き換え速度が遅い第２の表示デバイスと、を備える情報表示装置であって、前記情報表示装置において起動されているアプリケーションを検出する検出手段と、前記検出手段によって検出されたアプリケーションに応じて前記第１の表示デバイスと前記第２の表示デバイスとを切り替える切り替え手段と、を備える情報表示装置が提供される。
【００１２】
本発明の第３の視点によれば、第１の表示領域を形成する第１の表示デバイスと、第２の表示領域を形成する第２の表示デバイスと、前記第２の表示デバイスを移動する表示デバイス転移部と、を備える情報表示装置の制御方法であって、前記情報表示装置の内部状態、外部環境又は表示対象となるコンテンツの少なくともいずれかに応じて、前記第２の表示領域の大きさを決定する工程と、前記決定された前記第２の表示領域の大きさに基づき、前記表示デバイス転移部に対して、前記第２の表示デバイスの移動を指示する工程と、を含む情報表示装置の制御方法が提供される。
【００１３】
本発明の第４の視点によれば、第１の表示領域を形成する第１の表示デバイスと、第２の表示領域を形成する第２の表示デバイスと、前記第２の表示デバイスを移動する表示デバイス転移部と、を備える情報表示装置を制御するコンピュータに実行させるプログラムであって、前記情報表示装置の内部状態、外部環境又は表示対象となるコンテンツの少なくともいずれかに応じて、前記第２の表示領域の大きさを決定する処理と、前記決定された前記第２の表示領域の大きさに基づき、前記表示デバイス転移部に対して、前記第２の表示デバイスの移動を指示する処理と、を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１４】
本発明の各視点によれば、特性の異なる表示デバイスを備えつつ、大きな表示領域を確保する情報表示装置、その制御方法及びプログラムが、提供される。
【図面の簡単な説明】
【００１５】
【図１】一実施形態の概要を説明するための図である。
【図２】第１の実施形態に係る情報表示装置１の外観の一例を示す図である。
【図３】情報表示装置１の外観の一例を示す図である。
【図４】表示領域１０を、液晶デバイスと電子ペーパの表示領域で分割する際の一例を示す図である。
【図５】情報表示装置１の内部構成の一例を示す図である。
【図６】図２におけるＡ−Ａ’方向の断面の一例を示す図である。
【図７】電子ペーパキャリア４２の一例を示す図である。
【図８】電子ペーパキャリア４２の一例を示す図である。
【図９】情報表示装置１の設定メニューの一例を示す図である。
【図１０】表示領域１０の表示内容の一例を示す図である。
【図１１】情報表示装置１に対するユーザ操作の一例を示す図である。
【図１２】表示領域１０の表示内容の一例を示す図である。
【図１３】情報表示装置１の動作の一例を示すフローチャートである。
【図１４】表示領域１０の一例を示す図である
【発明を実施するための形態】
【００１６】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１７】
上述のように、液晶デバイスと電子ペーパといった特性の異なる２つの表示デバイスを備える情報表示装置において、電子ペーパを使用することで消費電力を抑制しつつ、電子ペーパでは書き換えが遅いために通常は視聴に耐えられない動画等を液晶デバイスにより表示することが考えられる。その際、情報表示装置が持つ表示領域を液晶デバイスと電子ペーパの表示領域で分割してしまうと、ユーザは、情報表示装置のサイズの割に表示領域が小さいという不満を持つ恐れがある。そのため、特性の異なる表示デバイスを備えつつ、大きな表示領域を確保する情報表示装置が、望まれる。
【００１８】
そこで、一例として図１に示す情報表示装置１００を提供する。情報表示装置１００は、第１の表示領域を形成する第１の表示デバイス１０１と、第２の表示領域を形成する第２の表示デバイス１０２と、第２の表示デバイス１０２を移動する表示デバイス転移部１０３と、表示デバイス転移部１０３に対して、第２の表示デバイス１０２の移動を指示することで第２の表示領域の大きさを決定する制御部１０４と、を備える。
【００１９】
情報表示装置１００は、第１の表示デバイス１０１として、例えば、液晶デバイスを用いる。また、例えば、第２の表示デバイス１０２として、電子ペーパを用いる。さらに、情報表示装置１００では、第２の表示デバイス１０２の移動が可変に構成されている。その上で、制御部１０４は、情報表示装置の内部状態、外部環境又は表示対象となるコンテンツに適した表示デバイスを選択すると共に、その表示領域の大きさを決定する。即ち、制御部１０４は、消費電力を抑えつつ表示を行う場合には、可能な限り第２の表示領域（例えば、電子ペーパによる表示領域）を大きくし、動画等を再生する場合には、第１の表示領域（例えば、液晶デバイスによる表示領域）を可能な限り大きくする。その結果、特性の異なる表示デバイスを備えつつ、大きな表示領域を確保する情報表示装置１００が提供できる。
【００２０】
さらに、下記の形態が可能である。
【００２１】
［形態１］上記第１の視点に係る情報表示装置のとおりである。
【００２２】
［形態２］前記第１及び第２の表示デバイスが、それぞれ同じ表示を行ったと仮定した場合において、前記第２の表示デバイスの動作に必要な電力は、前記第１の表示デバイスの動作に必要な電力よりも低いことが好ましい。
【００２３】
［形態３］前記第１の表示領域と相対する方向から視認した場合に、前記第１の表示デバイスと前記第２の表示デバイスとが、重なって配置されていることが好ましい。
【００２４】
［形態４］前記表示デバイス転移部は、前記第２の表示デバイスを含むと共に、両端が接続されている無端形状の表示デバイスキャリアと、前記表示デバイスキャリアを回転するローラーと、を備えることが好ましい。
【００２５】
［形態５］前記表示デバイスキャリアは、前記第２の表示デバイスの両端に、透明部材をそれぞれ接続し、前記透明部材の両端をそれぞれ接続することで無端形状を形成することが好ましい。
【００２６】
［形態６］前記表示デバイスキャリアは、前記第２の表示デバイスの一端に接続された第１の補強部材と、前記第２の表示デバイスに前記第１の補強部材が接続された一端と相対する他の一端に接続された第２の補強部材と、を含み、前記第１及び第２の補強部材の両端を接続することで、無端形状を形成することが好ましい。
【００２７】
［形態７］前記制御部は、前記情報表示装置の内部状態、外部環境又は表示対象となるコンテンツの少なくともいずれかに応じて、前記第２の表示領域の大きさを決定することが好ましい。
【００２８】
［形態８］前記情報表示装置は、前記第１又は第２の表示デバイスに電力を供給する電池を備え、前記制御部は、前記電池の残量に応じて、前記第２の表示領域の大きさを決定することが好ましい。
【００２９】
［形態９］前記情報表示装置は、外部環境の照度を検出する照度センサを備え、前記制御部は、前記照度センサが検出する照度に応じて、前記第２の表示領域の大きさを決定することが好ましい。
【００３０】
［形態１０］前記制御部は、前記コンテンツに対応して起動するアプリケーションに応じて、前記第２の表示領域の大きさを決定することが好ましい。
【００３１】
［形態１１］前記制御部は、前記コンテンツに含まれる動画を、前記第１の表示領域を用いて表示することが好ましい。
【００３２】
［形態１２］前記第１の表示デバイスは、液晶デバイスであり、前記第２の表示デバイスは、電子ペーパであることが好ましい。
【００３３】
［形態１３］上記第２の視点に係る情報表示装置のとおりである。
【００３４】
［形態１４］上記第３の視点に係る情報表示装置の制御方法のとおりである。
【００３５】
［形態１５］前記情報表示装置の制御方法は、電池の残量に応じて、前記第２の表示領域の大きさを決定する工程を含むことが好ましい。
【００３６】
［形態１６］前記情報表示装置の制御方法は、外部環境の照度に応じて、前記第２の表示領域の大きさを決定する工程を含むことが好ましい。
【００３７】
［形態１７］前記情報表示装置の制御方法は、前記コンテンツに対応して起動するアプリケーションに応じて、前記第２の表示領域の大きさを決定する工程を含むことが好ましい。
【００３８】
［形態１８］上記第４の視点に係るプログラムのとおりである。
【００３９】
［形態１９］前記プログラムは、電池の残量に応じて、前記第２の表示領域の大きさを決定する処理を実行することが好ましい。
【００４０】
［形態２０］前記プログラムは、外部環境の照度に応じて、前記第２の表示領域の大きさを決定する処理を実行することが好ましい。
【００４１】
［形態２１］前記プログラムは、前記コンテンツに対応して起動するアプリケーションに応じて、前記第２の表示領域の大きさを決定する処理を実行することが好ましい。
【００４２】
以下に具体的な実施の形態について、図面を参照してさらに詳しく説明する。
【００４３】
［第１の実施形態］
第１の実施形態について、図面を用いてより詳細に説明する。
【００４４】
図２は、本実施形態に係る情報表示装置１の外観の一例を示す図である。
【００４５】
情報表示装置１は、表示領域１０と照度センサ２０を備えている。情報表示装置１は、表示領域１０を使用して、テキスト情報、静止画像又は動画等を表示する。また、情報表示装置１は照度センサ２０を備えている。
【００４６】
本実施形態に係る情報表示装置１は、２つの異なる表示デバイスを含んで構成される。より具体的には、情報表示装置１は、液晶デバイスと電子ペーパという異なる２つの表示デバイスを備える。なお、液晶デバイスが上述の第１の表示デバイス１０１に、電子ペーパが上述の第２の表示デバイス１０２に、それぞれ相当する。
【００４７】
ここで、液晶デバイスと電子ペーパについて概説する。
【００４８】
液晶デバイスは、バックライト等の光源が発する光を、液晶素子に印加する電圧を変化させることで、表示を行う。液晶デバイスは、コントラストの高い明瞭な表示を提供することができ、高い表現能力を備える。そのため、テキスト情報や静止画像だけでなく、動画の再生にも好適である。しかし、液晶デバイスは、その原理上、常にバックライトを点灯する必要があり消費電力が高い。
【００４９】
電子ペーパには、一度表示した内容を保持するのに殆ど電力を必要としないという利点がある。つまり、液晶デバイスと電子ペーパにおいて、それぞれ同じコンテンツを表示したと仮定した場合に、電子ペーパが表示の際に要する電力は、液晶デバイスが表示の際に要する電力よりも低い。また、電子ペーパは視野角が広く、直射日光が当たる環境でも視認しやすく、ユーザの負担が少ない（眼が疲れにくい）。さらに、電子ペーパは、極めて薄く、紙のように曲げることも可能である。また、そのように曲げたとしても表示品質が低下することもない。一方、電子ペーパには、表示の書き換えに要する時間が長いという欠点もある。さらに、表現可能な色数が少なく、液晶デバイスに比肩するほどの表現能力を備えていないのが、現状である。
【００５０】
図３は、情報表示装置１の外観の一例を示す図である。
【００５１】
上述したように、情報表示装置１は、異なる２つの表示デバイスを使用する。さらに、情報表示装置１の表示領域１０を、異なる２つの表示デバイス（液晶デバイス、電子ペーパ）を用いて実現する。図３（ａ）は、表示領域１０を液晶デバイスにより実現する際の一例を示している。図３（ｂ）は、表示領域１０を電子ペーパにより実現する際の一例を示している。図３（ａ）及び（ｂ）に示すように、情報表示装置１は、表示領域１０の全面を液晶デバイス又は電子ペーパにより実現することができる。
【００５２】
また、情報表示装置１は、表示領域１０を液晶デバイス及び電子ペーパにより分割することが可能である。即ち、情報表示装置１は、液晶デバイスの表示領域と電子ペーパの表示領域の比率を変更することができる。図４は、表示領域１０を、液晶デバイスと電子ペーパの表示領域で分割する際の一例を示している。図４に示すように、情報表示装置１では、液晶デバイスによる表示領域と電子ペーパによる表示領域を混在することが可能である。あるいは、表示領域を液晶デバイス又は電子ペーパのいずれかのみで実現することも可能である。なお、液晶デバイスにより実現する表示領域を液晶表示領域１１、電子ペーパにより実現する表示領域を電子ペーパ表示領域１２とし、以降の説明を行う。
【００５３】
図５は、情報表示装置１の内部構成の一例を示す図である。
【００５４】
情報表示装置１は、照度センサ２０と、液晶表示部３０と、電子ペーパ転移部４０と、操作部５０と、制御部６０と、を含んで構成されている。なお、図５には、簡単のため、本実施形態に係る情報表示装置１に関係するモジュールのみを記載する。
【００５５】
照度センサ２０は、情報表示装置１の外部環境における明るさ（照度）を検出し、制御部６０に出力する。
【００５６】
液晶表示部３０は、液晶デバイスを含む表示モジュールである。液晶表示部３０には、バックライトや駆動回路が含まれており、制御部６０から映像信号及び制御信号が供給される。
【００５７】
電子ペーパ転移部４０には、電子ペーパを含む表示モジュールが含まれる。電子ペーパ転移部４０には、液晶表示部３０と同様に、制御部６０から映像信号及び制御信号が供給される。電子ペーパ転移部４０が、上述の表示デバイス転移部１０３に相当する。電子ペーパ転移部４０の詳細に関しては、後述する。
【００５８】
操作部５０は、情報表示装置１に対するユーザの操作を受け付ける。操作部５０には、種々のデバイスを使用することが可能である。例えば、タッチパネルを用いて情報表示装置１の表示面への接触を検出し、ユーザの操作としてもよいし、キーボードやマウス等を使用してもよい。若しくは、操作部５０がマイクを備え、入力された音声を解析し、ユーザの操作を検出してもよい。あるいは、操作部５０に代えて、情報表示装置１に接続された外部機器からユーザの操作に相当する情報を入手してもよい。
【００５９】
制御部６０は、記憶媒体に格納されたプログラムを読み込み、ＣＰＵ（Ｃｅｎｔｒａｌ  Ｐｒｏｃｅｓｓｉｎｇ  Ｕｎｉｔ）がプログラムを実行することで実現できる。制御部６０は、情報表示装置１の全体の制御を行う。制御部６０が行う制御には、図５に開示する各部の制御が含まれる。つまり、制御部６０は、液晶デバイスや電子ペーパのドライバとしての役割も担う。さらに、制御部６０は、表示の対象となるコンテンツを扱うアプリケーションの実行も可能である。これらのドライバやアプリケーションは、ＯＳ（Ｏｐｅｒａｔｉｎｇ  Ｓｙｓｔｅｍ）上で実行される。
【００６０】
次に、電子ペーパ転移部４０について説明する。
【００６１】
電子ペーパ転移部４０は、内部に電子ペーパを含み、電子ペーパの移動を可能とする。
なお、電子ペーパを移動する際には、液晶表示領域１１と電子ペーパ表示領域１２とからなる面積（表示領域１０の面積）を一定に保ちつつ、電子ペーパを移動することが望ましい。即ち、表示領域１０に液晶表示領域１１又は電子ペーパ表示領域１２のいずれでもない空白の領域を生じさせないことが望ましい。
【００６２】
電子ペーパ転移部４０には、電子ペーパ４１と、電子ペーパ４１の移動を可能とする電子ペーパキャリア４２と、ローラー４３と、ローラー４３を駆動するモータ（後述する図６において図示せず）と、が含まれている。電子ペーパキャリア４２が、上述の表示デバイスキャリアに相当する。
【００６３】
図６は、図２におけるＡ−Ａ’方向の断面の一例を示す図である。図６に示すように、情報表示装置１の表面には透明なアクリル板１３が配置されており、アクリル板１３を通じて情報表示装置１の内部を視認できる。また、情報表示装置１の内部では、液晶デバイス３１を取り囲むように電子ペーパキャリア４２が配置されている。なお、液晶デバイス３１は、情報表示装置１の側面の筐体により保持されている。
【００６４】
電子ペーパキャリア４２とは、電子ペーパ４１を搭載し、電子ペーパ４１を情報表示装置１の内部で移動するためのユニットである。
【００６５】
図７は、電子ペーパキャリア４２の一例を示す図である。電子ペーパキャリア４２は、電子ペーパ４１の両端に、透明部材４４をそれぞれ接続し、透明部材４４の両端をそれぞれ接続する。電子ペーパキャリア４２は、図７のＢ端とＢ’端を連結し、無端形状の形態（円環状の形態）で情報表示装置１の内部に格納される。透明部材４４には、アクリル等の透明な部材であって、さらに、電子ペーパ４１と同様の柔軟性を持つ材料を用いる。なお、透明部材４４の材質はどのようなものでもよく、電子ペーパ４１と同様の柔軟性を持ち、ある程度曲がればよい。
【００６６】
電子ペーパキャリア４２は、電子ペーパ４１を補強部材で保持し、無端形状としてもよい。
【００６７】
図８は、電子ペーパキャリア４２の一例を示す図である。図８に示すように、電子ペーパ４１を補強部材４５により保持してもよい。つまり、電子ペーパキャリア４２は、電子ペーパ４１の両端に接続された補強部材４５を含み、補強部材の両端を接続することで、無端形状を形成する。しかし、電子ペーパキャリア４２の耐久性の観点からは、透明部材４４を用いるのが好ましい。図８に示す電子ペーパキャリア４２であっても、Ｂ端とＢ’端を接続し、無端形状とする。なお、ローラー４３の直径は情報表示装置１の筐体が許す限り長い方が好ましい。ローラー４３の直径が長いほど、電子ペーパ４１に係る負荷は軽減され、電子ペーパ４１の耐久性が高まるためである。
【００６８】
無端形状の電子ペーパキャリア４２は、ローラー４３により移動可能である（図６参照）。即ち、電子ペーパ転移部４０には、ローラー４３が含まれており、ローラー４３を回転させることにより、電子ペーパ４１の位置を変更することができる。より具体的には、電子ペーパ転移部４０にステッピングモータが含まれ、ステッピングモータによりローラー４３を回転する場合には、制御部６０から電子ペーパ４１の移動に必要な制御信号（ステップ角）が与えられる。あるいは、複数の赤外線センサを電子ペーパキャリア４２の移動方向に一定間隔で配置し、これらの赤外線センサからの出力に基づいて電子ペーパ４１の位置を決定してもよい。即ち、制御部６０が赤外線センサの出力を受け付け、電子ペーパ転移部４０に含まれるモータを制御してもよい。
【００６９】
さらに、このような位置検出センサを使用しなくとも、電子ペーパ４１の移動量とモータの回転時間の関係を把握することで、電子ペーパ４１を移動してもよい。この場合には、情報表示装置１の各個体によって、モータの駆動能力にばらつきがあるため、ユーザによるキャリブレーションを行うことが望ましい。より具体的には、情報表示装置１が操作部５０としてタッチパネルを備えていれば、情報表示装置１の設定メニューの１つにキャリブレーションモードを設ける。
【００７０】
キャリブレーションモードでは、電子ペーパ４１の一端に相当する位置をユーザが触れ、触れた位置からモータを駆動し、情報表示装置１が指定する位置まで到達すれば指を離すといったインターフェイスを設ける。このような操作によって、情報表示装置１の各個体における駆動能力が把握可能であり、制御部６０は電子ペーパ４１の移動量とモータの駆動時間の関係を補正することができる。
【００７１】
以上のような構成により、制御部６０は、電子ペーパ４１の位置を自由に変更することができる。例えば、図３（ａ）のように表示領域１０の全面を液晶表示領域１１として使用する場合には、図６（ａ）に示す位置に電子ペーパ４１を移動する。すると、液晶デバイス３１の上面には、その表示を遮るものは存在しないため、ユーザは液晶デバイス３１が提供する表示を視認することができる。即ち、液晶デバイス３１と電子ペーパ４１を重ね、液晶デバイス３１のみがユーザから視認可能な状態を作り出す。一方、表示領域の全面を電子ペーパ表示領域１２として使用する場合には、図６（ｂ）に示す位置に電子ペーパ４１を移動する。
【００７２】
また、液晶デバイス３１と電子ペーパ４１の重なりを調整することで、液晶表示領域１１と電子ペーパ表示領域１２を同時に使用することが可能である。その際、制御部６０は、目的とする液晶表示領域１１と電子ペーパ表示領域１２の比率に応じて、電子ペーパ転移部４０を介して、電子ペーパ４１を移動する。
【００７３】
次に、情報表示装置１における液晶デバイス３１と電子ペーパ４１の使い分けについて説明する。上述したように、情報表示装置１は、特性の異なる２つの表示デバイスを備えている。ここでは、どのような基準又は契機によって、液晶デバイス３１と電子ペーパ４１を使い分けるかについて説明する。
【００７４】
情報表示装置１は、自身が置かれている状況に応じて、２つの表示デバイスを使い分けることが考えられる。上述したように、電子ペーパ４１には、消費電力が低いという利点がある。そこで、情報表示装置１が携帯電話等の携帯電子機器の場合には、電池残量に応じて、使用する表示領域を決定してもよい。例えば、電池残量が所定の値を下回った場合には、液晶デバイス３１は使用しない、又は、液晶表示領域１１の比率を大幅に引き下げるといった対応が考えられる。
【００７５】
あるいは、ユーザの操作が一定期間なされていないと、表示を消去する制御が行われる。このような制御には、液晶デバイス３１を使用することによる電池の消耗を防止することが目的の１つに含まれている。しかし、電子ペーパ４１であれば、表示内容を保持するのに殆ど電力を消費しないので、ユーザの操作が一定期間なされていない場合には、電子ペーパ４１を使用し、壁紙やメッセージを表示することも可能である。
【００７６】
また、電子ペーパ４１は受けた光を反射することで、表示を可能としている。従って、情報表示装置１に対して光が当たっていなければ、ユーザは電子ペーパ４１の表示を視認することができない。そこで、制御部６０は、照度センサ２０から外部環境の明るさを検出し、検出した明るさに応じて、使用する表示デバイスを決定してもよい。例えば、情報表示装置１の周りが暗く、電子ペーパ４１の表示をユーザが視認できないと判断すれば、液晶デバイス３１に限り使用する。
【００７７】
なお、液晶デバイス３１と電子ペーパ４１の使い分けを、ユーザの意思に基づいて決定することができるのは勿論である。例えば、情報表示装置１に図９のような設定メニューを設けることが考えられる。図９に示す設定メニューにおいて、「１．自動」以外の項目が選択されるのであれば、ユーザが決定した表示デバイスのみを使用する。
【００７８】
情報表示装置１は、自身が置かれている状況に応じて、２つの表示デバイスを使い分けることに加え、表示の対象とするコンテンツに応じて液晶デバイス３１と電子ペーパ４１を使い分けることが考えられる。
【００７９】
ここで、情報表示装置１が、表示の対象とするコンテンツは、テキスト情報、静止画像又は動画に大別することができる。そこで、情報表示装置１は、これらのコンテンツを扱うアプリケーションに応じて、表示デバイスを使い分ける。
【００８０】
例えば、テキスト情報を表示又は編集するワープロソフトを動作させる場合には、電子ペーパ４１を使用するのが望ましい。この場合には、制御部６０は、図３（ｂ）に示すように、表示領域１０の全面が電子ペーパ表示領域１２となるように、電子ペーパ４１を移動する。
【００８１】
一方、動画を再生する場合には、液晶デバイス３１を使用するのが望ましい。この場合には、制御部６０は、図３（ａ）に示すように、表示領域１０の全面が液晶表示領域１１となるように、電子ペーパ４１を移動する。また、ユーザの操作によって動画再生アプリケーションの起動が行われたときに、制御部６０が、予め、表示領域１０の全面が液晶表示領域１１となるように、電子ペーパ４１を移動するようにしてもよい。
【００８２】
このように、制御部６０は、コンテンツを扱うアプリケーションに応じて、液晶デバイス３１を使用するか、電子ペーパ４１を使用するか、を決定する。なお、アプリケーションに対応して液晶デバイス３１又は電子ペーパ４１のいずれを使用するかを予め対応づけたテーブルを用意してもよい。
【００８３】
また、各コンテンツ（ファイル）が持つ拡張子により、そのコンテンツがどのような情報を含むのか判断可能であるので、拡張子に応じて、使用する表示デバイスを決定することもできる。例えば、「ＴＸＴ」という拡張子を持つコンテンツには、テキスト情報が含まれていると想定できるので、電子ペーパ４１の使用を優先する。あるいは、「ＡＶＩ」という拡張子を持つコンテンツは、動画であると想定できるので、液晶デバイス３１を使用する。
【００８４】
なお、コンテンツが持つ拡張子からだけでは、どのような情報が含まれているか判断できない場合がある。このような場合には、そのコンテンツの扱うアプリケーションの動作状況に応じて、使用する表示デバイスを決定することもできる。
【００８５】
例えば、動画が繰り込まれたＨＴＭＬ文章を表示させる場合を考える。このような場合、ＨＴＭＬ文書にはテキスト情報や静止画像が主に含まれると考えられるため、制御部６０は、電子ペーパ４１を優先して使用し、ＨＴＭＬ文章を表示する。そして、ＨＴＭＬ文章を扱うアプリケーション（ブラウザ）が、動画の再生を行おうとする場合には、液晶デバイス３１を使用する。より具体的には、ブラウザが動画再生用のデコーダを起動し、動画の再生開始を検出した場合には、制御部６０は、表示領域１０に用いる表示デバイスを電子ペーパ４１から液晶デバイス３１に変更する。このように、制御部６０は、情報表示装置１において起動されているアプリケーションを検出する検出手段といえる。さらに、電子ペーパ転移部４０は、検出手段によって検出されたアプリケーションに応じて表示デバイス（液晶デバイス３１又は電子ペーパ４１）を切り替える切り替え手段といえる。
【００８６】
あるいは、動画再生時に使用するデコーダの動作状況から、動画の表示を把握し、液晶デバイス３１を使用してもよい。例えば、制御部６０は、デコーダから発行される描画命令の特徴から、動画の再生を検出してもよい。また、動画再生時には、制御部６０が多くの描画命令を発行する特徴があることから、一定時間に発行される描画命令の数が閾値以上であった場合に、動画が再生されたと判断して、表示領域１０に用いる表示デバイスを電子ペーパ４１から液晶デバイス３１に変更するようにしてもよい。
【００８７】
以上、液晶デバイス３１と電子ペーパ４１の使い分けについて説明した。しかし、上述したように、これらの表示デバイスが実現する表示領域は混在していてもよい。情報表示装置１が表示の対象とするコンテンツには、テキスト情報と動画が共に含まれる場合も想定できる。このような場合、テキスト情報の表示を優先するならば、電子ペーパ４１を使用し、動画の再生を優先するならば、液晶デバイス３１を優先することになる。しかし、動画を再生しつつ、その動画の説明文（テキスト情報）を確認したいといった状況も考えられる。このような場合に、液晶デバイス３１と電子ペーパ４１を同時に使用し、液晶表示領域１１と電子ペーパ表示領域１２を混在する意義がある。
【００８８】
図１０は、表示領域１０の表示内容の一例を示す図である。図１０では、液晶表示領域１１において、動画を再生し、電子ペーパ表示領域１２において、その動画に関する説明文を表示している。図１０に示すように、液晶表示領域１１と電子ペーパ表示領域１２を混在することが可能であるが、その比率の決定はどのようにすべきか明らかにする必要がある。
【００８９】
そこで、液晶表示領域１１と電子ペーパ表示領域１２を混在する際の比率の決定について説明する。液晶表示領域１１と電子ペーパ表示領域１２の比率の決定には、以下のような方法が考えられる。
【００９０】
第１に、コンテンツが持つ特徴に応じて、使用する表示領域の比率を変える方法である。例えば、コンテンツに含まれる静止画像や動画には、予め解像度やアスペクトが与えられており、このような情報に基づいて、使用する表示領域の比率を決定することができる。より具体的には、再生しようとする動画のサイズが大きければ、液晶表示領域１１を大きく確保し、動画のサイズが小さければ、確保する液晶表示領域１１の面積は小さくてよい。
【００９１】
第２に、ユーザが液晶表示領域１１と電子ペーパ表示領域１２の比率を決定する方法である。同じコンテンツであっても、ユーザが異なれば、そのコンテンツの必要度は異なるのが通常であり、あるユーザには興味のあるコンテンツであっても、他のユーザには全く興味のないコンテンツである場合がある。例えば、ＨＴＭＬ文書に組み込まれた動画広告などが相当する。このようなコンテンツを再生する場合に、動画を表示する液晶表示領域１１の比率をユーザが任意に変更可能とする。
【００９２】
その際、情報表示装置１がタッチパネルを備えていれば、ユーザが液晶表示領域１１と電子ペーパ表示領域１２の境界に触れ、上下いずれかに動かしたかに応じて、液晶表示領域１１と電子ペーパ表示領域１２の比率を変更することが考えられる。
【００９３】
図１１は、ユーザ操作の一例を示す図である。図１１に示すように、ユーザがタッチパネルに触れた点が上下することに応じて、使用する表示領域の比率を変更する。
【００９４】
なお、液晶表示領域１１と電子ペーパ表示領域１２を混在させて使用している場合には、液晶デバイス３１の領域であって、電子ペーパ４１により覆い隠されている領域に対応したバックライトは消灯することが望ましい。液晶表示部３０には、複数のバックライトが含まれ、それぞれのバックライトが担当する領域が予め定められていれば、制御部６０は、電子ペーパ４１により覆い隠されている領域に対応するバックライトを特定し、消灯が可能である。その結果、情報表示装置１の消費電力を低減することができる。
【００９５】
さらに、液晶表示領域１１と電子ペーパ表示領域１２を混在させて使用している場合であって、タッチパネルを使用する場合には、液晶表示領域１１と電子ペーパ表示領域１２の比率に応じて、タッチパネルの検出領域を変更することが望ましい。
【００９６】
図１２は、表示領域１０の表示内容の一例を示す図である。図１２（ａ）において、液晶表示領域１１に動画再生を制御する釦１４が配置されている。制御部６０は、ユーザが釦１４に触れるたびに、動画の再生と停止を切り替えるインターフェイスを実現している。図１２（ｂ）は、図１２（ａ）から液晶表示領域１１の比率を縮小した場合の図である。この図１２（ｂ）に示すように、液晶表示領域１１と電子ペーパ表示領域１２の比率が変更となった場合に、タッチパネルが釦１４を検出する領域を変更しないと、表示と操作の不一致が生じる。表示と操作の不一致が生じると、ユーザは、図１２（ｂ）の釦１４を押しても、動画の状態が切り替わらないため、情報表示装置１が故障したと判断してしまう。
【００９７】
続いて、上述した情報表示装置１の動作について纏める。なお、ここでは、情報表示装置１として携帯電話等の携帯電子機器を想定する。
【００９８】
図１３は、情報表示装置１の動作の一例を示すフローチャートである。
【００９９】
情報表示装置１は、電池の残量を確認（ステップＳ０１）し、電池の残量が閾値よりも低ければ（ステップＳ０１、Ｎｏ分岐）、電子ペーパ４１を使用する（ステップＳ０５）。さらに、情報表示装置１が置かれた外部環境の明るさを確認（ステップＳ０２）し、外部の環境が閾値よりも暗ければ（ステップＳ０２、Ｎｏ分岐）、液晶デバイス３１を使用する（ステップＳ０６）。
【０１００】
次に、情報表示装置１は、表示対象のコンテンツの拡張子を確認（ステップＳ０３）し、動画に対応した拡張子であれば（ステップＳ０３、Ｎｏ分岐）、液晶デバイス３１を使用する。さらに、表示対象のコンテンツが動画以外のコンテンツ（例えば、テキスト情報）の場合でも、動画再生の要求の有無を確認（ステップＳ０４）する。確認の結果、動画再生の要求が存在しなければ（ステップＳ０４、Ｙｅｓ分岐）、電子ペーパ４１を使用する。動画再生の要求が存在すれば（ステップＳ０４、Ｎｏ分岐）、液晶デバイス３１を使用する。
【０１０１】
以上のように、情報表示装置１は、自らの内部状態や外部環境を優先的に判断し、使用可能な表示デバイスを決定する。より具体的には、情報表示装置１の電池残量（内部状態の一例）が限られている場合は、電子ペーパ４１を使用する。このように電池残量が限られている場合に、消費電力が大きい液晶デバイス３１を使用するのは望ましくないためである。
【０１０２】
また、情報表示装置１の周りが暗い（外部環境の一例）場合には、液晶デバイス３１を使用する。このように周辺が暗く、場合に電子ペーパ４１を使用したとしても、ユーザは表示を視認できないためである。情報表示装置１は、このような判断をした後に、表示の対象となるコンテンツの種類（拡張子）や内容（動画再生要求の有無）に応じて、最適な表示デバイスを選択する。このように、制御部６０は、情報表示装置の内部状態、外部環境又は表示対象となるコンテンツの少なくともいずれかに応じて、表示領域の大きさを決定する。その後、決定された表示領域の大きさに基づき、電子ペーパ転移部４０に対して、電子ペーパの移動を指示する。
【０１０３】
［変形例］
次に、本実施形態に係る情報表示装置１の変形例について説明する。情報表示装置１において、電子ペーパ表示領域１２を可変にする方向は、図３のＹ方向（上下方向）とした。しかし、Ｙ方向に限らずＸ方向（左右方向）であってもよい。また、液晶表示領域１１と電子ペーパ表示領域１２の幅又は高さが同一である必要もない。
【０１０４】
図１４は、表示領域１０の一例を示す図である。図１４に示すように、液晶表示領域１１又は電子ペーパ表示領域１２のいずれかの幅又は高さを、他の表示領域の幅又は高さよりも短くすることも可能である。
【０１０５】
以上のように、本実施形態に係る情報表示装置１では、特性の異なる２つの表示デバイスを搭載し、それぞれの表示デバイスにより実現する表示領域を可変に構成している。即ち、電子ペーパのように消費電力に優れる表示デバイスの使用を基本とすることで、情報表示装置１の消費電力を抑制することができる。また、液晶デバイスのように高い表現能力を持つ表示デバイスによって、電子ペーパのような表示デバイスでは対応が難しい動画再生に対応する。このように特性の異なる表示デバイスを搭載し、両者の利点を引き出すことで、高い利便性を確保しつつ、消費電力を抑制する情報表示装置を提供することができる。
【０１０６】
さらに、異なる表示デバイスが実現する表示領域の比率を可変に構成しているので、表示領域として確保可能な領域をいずれかの表示デバイスで実現することが可能であり、ユーザが情報表示装置１のサイズの割に表示領域が小さいといった不満を抱かせる恐れもない。
【０１０７】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。例えば、情報表示装置が備える表示デバイスは、液晶デバイスや電子ペーパに限定されるものではない。２つの表示デバイスの特性が異なり、これらの表示デバイスを適宜切り替え可能なものであればよい。
【符号の説明】
【０１０８】
１、１００  情報表示装置
１０  表示領域
１１  液晶表示領域
１２  電子ペーパ表示領域
１３  アクリル板
１４  釦
２０  照度センサ
３０  液晶表示部
３１  液晶デバイス
４０  電子ペーパ転移部
４１  電子ペーパ
４２  電子ペーパキャリア
４３  ローラー
４４  透明部材
４５  補強部材
５０  操作部
６０、１０４  制御部
１０１、１０２  表示デバイス
１０３  表示デバイス転移部
【図１】
2014002273.tif 000003
【図２】
2014002273.tif 000004
【図３】
2014002273.tif 000005
【図４】
2014002273.tif 000006
【図５】
2014002273.tif 000007
【図６】
2014002273.tif 000008
【図７】
2014002273.tif 000009
【図８】
2014002273.tif 000010
【図９】
2014002273.tif 000011
【図１０】
2014002273.tif 000012
【図１１】
2014002273.tif 000013
【図１２】
2014002273.tif 000014
【図１３】
2014002273.tif 000015
【図１４】
2014002273.tif 000016